(57)【要約】【課題】夜間等における指針の視認性を向上させつつ、違和感を感じさせることのない指針計器および計器照明方法を提供する。【解決手段】指標部が形成された文字板２２と、文字板２２の前面外周部に設けられ、前方に向かうに従って拡径するリング部材２１と、導光体２４を内部に有し、指標部に発光する指針２３と、リング部材２１の内周部に形成され、指針２３からの出射光２４ａを後方に反射させる階段部２５とを有してなる。これにより、夜間等における指針２３の視認性が向上し、違和感がなくなる。【選択図】図２
2006058131.tif 000002
【特許請求の範囲】
【請求項１】
指標部が形成された文字板と、
前記文字板の前面外周部に設けられ、前方に向かうに従って拡径するリング部材と、
導光体を内部に有し前記指標部に発光する指針とを備え、  
前記リング部材の拡径部が階段状に形成されたことを特徴とする指針計器。
【請求項２】
前記リング部材の拡径部は、光を乱反射させる材料によって形成されたことを特徴とする請求項１に記載の指針計器。
【請求項３】
前記リング部材の内周端部に、黒色艶消し処理が施されたことを特徴とする請求項１または２に記載の指針計器。
【請求項４】
指標部が形成された文字板と、
前記文字板の前面外周部に設けられ、前方に向かうに従って拡径するリング部材と、
導光体を内部に有し、前記指標部に発光する指針と、  
を備えた指針計器の照明方法であって、
前記指針からの出射光を、前記リング部材の内周部に形成された階段状の拡径部で、後方に反射させることを特徴とする指針計器の照明方法。
【発明の詳細な説明】
【技術分野】
【０００１】
本発明は、自動車等において、文字板および指針を有する速度計、回転計、燃料計および水温計等の指針計器に関し、特に、視認領域を構成する実空間上に情報を表示し、夜間等における走行速度等の測定値が良好に判断できる指針計器およびその照明方法に関するものである。
【背景技術】
【０００２】
自動車のコンビネーションメータは、一個のメータケース内に、図４、５に示すような速度計１０の他、回転計、燃料計および水温計等の複数の計器が組み込まれて構成されている。通常、これらメーター類には、アナログ指針を備えた計器が採用されている。ここで、図５は、図４のＡ−Ａ断面図を示す。
【０００３】
図４において、速度計１０は、計器本体の回転軸（図示略す）の先端に、指針１３が固定され、計器本体の前面側には、透光性の基板に文字、数字および目盛等の指標部を形成した文字板１２が設けられている。
また、前記文字板１２の前面には、意匠性を考慮して前方方向に拡径する傾斜面１１ａを有するリング部材１１が指標部を囲むように設けられ、文字板１２上に指針１３を回動させて、指針１３と指標部との対比判読によって走行速度等の測定値が表示される。
また、夜間等における走行速度の測定値を良好に判断するため、指針１３内には、光源からの光を伝達する導光体１４が設けられ、光源からの光を指針１３から文字板１２の指標部に向けて発光させ、これによって指標部が照明され表示されるようになっている。このような従来例は、以下に示す特許文献１に開示されている。
【特許文献１】特開昭５３−１２７７５８号公報
【発明の開示】
【発明が解決しようとする課題】
【０００４】
しかしながら、前記速度計（指針計器）１０では、指針１３から指標部に向けて発光させる場合、図５に示すように、指針１３の出射光１４ａが、リング部材１１の傾斜面１１ａで、速度計１０の前方、即ち運転手の視認方向に反射される。このような反射光１４ｂにより、文字板１２の指標部やリング部材１１に指針１３の影が写り込み、速度計１０の視認性が損なわれ、違和感を生じるという事情がある。
【０００５】
本発明の技術的課題は、前記のような事情に鑑みてなされたものであり、その目的は、夜間等における指針の視認性を向上させつつ、違和感を感じさせることのない指針計器およびその照明方法を提供することにある。
なお、本発明の前記ならびにその他の目的と新規な特徴は、本明細書の記述および添付図面から明らかになるであろう。
【課題を解決するための手段】
【０００６】
前記目的を達成するため、請求項１に係る発明は、指標部が形成された文字板と、前記文字板の前面外周部に設けられ、前方に向かうに従って拡径するリング部材と、導光体を内部に有し前記指標部に発光する指針とを備え、前記リング部材の拡径部が階段状に形成されたことを特徴とするものである。
請求項２に係る発明は、前記リング部材の拡径部は、光を乱反射させる材料によって形成されたことを特徴とするものである。
【０００７】
請求項３に係る発明は、前記リング部材の内周端部に、黒色艶消し処理が施されたことを特徴とするものである。
請求項４に係る発明は、指標部が形成された文字板と、前記文字板の前面外周部に設けられ、前方に向かうに従って拡径するリング部材と、導光体を内部に有し、前記指標部に発光する指針とを備えた指針計器の照明方法であって、前記指針からの出射光を、前記リング部材の内周部に形成された階段状の拡径部で、後方に反射させることを特徴とするものである。
【発明の効果】
【０００８】
本発明によれば、リング部材の拡径部を階段状に形成することで、夜間等における指針指示部の視認性が向上するとともに、違和感がなくなる。
【発明を実施するための最良の形態】
【０００９】
以下、本発明に係る実施の形態を図面に基づいて説明する。
図１は、本発明の一実施の形態に係る速度計の要部斜視図である。図２は、図１のＢ−Ｂ断面図であり、図３は、図２に示すリング部材の拡大説明図である。
【００１０】
自動車の運転席前方の運転者から視認可能な位置には、コンビネーションメータ（図示略す）が装備されている。このコンビネーションメータは、自動車の走行速度を表示するとともに、走行距離および各種警告等の情報を表示している。
自動車の走行速度は、図１に示すような速度計２０に表示される。この速度計２０は、円盤状の文字板２２を有し、この文字板２２の前面外周部には、リング部材２１が同軸に設けられている。また、外部からの電気信号である車速信号に応じて回動する指針２３を備えている。
【００１１】
前記文字板２２は、非透光性材料からなり、例えば、アルミニウムの薄板により円盤状に形成されている。文字板２２には、自動車の走行速度を表示するための目盛、数字および文字等の指標部が形成されている。即ち、目盛、数字、文字は、プレス加工あるいはエッチング処理により、各形状の孔を開けて形成されたり、印刷されている。また、文字板２２の表面は、見栄え（意匠性）向上のためにヘアライン仕上げが施されていてもよい。
【００１２】
さらに、文字板２２には、その内径部を塞ぐように透明材料、例えばポリカーボネート樹脂の薄板からなるカバー（図示略す）が取付けられ、コンビネーションメータ内への水滴や埃の侵入を防止している。ここで、文字板２２およびカバーは、運転者側に対して凹面状をなすように成形されている。これにより、運転者側からの外来光、例えば太陽光等が文字板２２およびカバー上で反射して運転者を眩惑することが防止される。
【００１３】
前記リング部材２１は、透明材料、例えばアクリル樹脂等からなり、前方に向かうに従って拡径する略円筒状に形成され、その拡径部には、指針２３からの出射光２４ａを後方に反射させるように階段部２５が形成されている。
この階段部２５は、指針２３からの出射光２４ａを後方に向けて反射可能な傾斜面２５ａ、２５ｂを有している。これら傾斜面２５ａと２５ｂとのなす角度は、鋭角αに設定され、鉛直線に対して所定角度βだけ時計回りに傾けて形成されている。
【００１４】
前記指針２３は、透明な材料、例えばアクリル樹脂等から形成され、その内部に、例えば発光ダイオード等の光源からの光を伝達する導光体２４を有しており、文字板２２上に形成された指標部に沿って回動するとともに、指標部に発光して、夜間等でも測定値が確認できるようになっている。
【００１５】
次に、このような速度計２０の視認状態について説明する。
指針２３が発光することにより、指針２３に対応した部分、つまり指針２３自身およびその延長上に相当する指標部が明るく照明される。そして、自動車が走り出して走行速度が上がると、指針２３が回動する。この指針２３の回動に同期して、常に指針２３の延長上に当たる指標部上の発光部位も移動する。
【００１６】
この場合、本実施の形態では、リング部材２１の拡径部に、後方に向けて反射可能な傾斜面２５ａ、２５ｂを有する階段部２５が形成されたことから、指針２３からの出射光２４ａは、階段部２５の傾斜面２５ａおよび２５ｂによって反射される。
つまり、指針２３からの出射光２４ａを後方に反射させる傾斜面２５ａ、２５ｂによって、反射光２４ｂは、運転者側からみて後方に反射され、視認方向に進むことはないので、指針２３のリング部材２１への写り込みが回避され、結果として速度計２０の視認性が向上し、違和感もなくなる。
【００１７】
以上、本発明の実施の形態について詳述したが、本発明は、前記実施の形態記載に限定されるものではなく、本発明の特許請求の範囲に記載されている発明の精神を逸脱しない範囲で、設計において種々の変更ができるものである。
前記リング部材２１の拡径部を、光を乱反射させる材料によって形成したり、リング部材２１の内周端部に、黒色艶消処理部２１ａを施すことで、視認方向への光の反射が抑えられ、視認性の向上や違和感の防止により有効である。
また、照明効果を向上させるために、指針２３に蛍光顔料を配合させてもよい。
また、階段部２５は、後方へ出射光２４ａを反射させなくとも、指針２３からの出射光２４ａを前面に全反射させない傾斜面であればよい。
【図面の簡単な説明】
【００１８】
【図１】本発明の一実施の形態に係る指針計器の要部斜視図である。
【図２】図１のＢ−Ｂ断面図である。
【図３】図１に示すリング部材の拡大説明図である。
【図４】従来の指針計器の要部斜視図である。
【図５】図４のＡ−Ａ断面図である。
【符号の説明】
【００１９】
２０……指針計器
２１……リング部材
２１ａ……黒色艶消処理部
２２……文字板
２３……指針
２４……導光体
２４ａ……出射光
２４ｂ……反射光
２５……階段部
２５ａ、２５ｂ……傾斜面
【図１】
2006058131.tif 000003
【図２】
2006058131.tif 000004
【図３】
2006058131.tif 000005
【図４】
2006058131.tif 000006
【図５】
2006058131.tif 000007